(57)【要約】【課題】タッチパネルを用いて、画像，音楽，書籍等の所望の電子データを容易な操作で選択再生することができる、装置及び方法を提供する。【解決手段】記録メディア１３と、液晶モニタ１８に重ねて配置されたタッチパネル７と、タッチパネル７の操作位置を検出する検出回路９と、コンテンツデータとタッチパネル７の操作領域を告知する操作支援マークとを液晶モニタ１８に表示する第一の動作状態と、コンテンツデータのみを液晶モニタ１８に表示する第二の動作状態とを切り替える処理や、第一の動作状態において、タッチパネル７の操作領域での摺動操作が行われたときに、検出回路９により検出された少なくとも２つの異なる時点における前記操作領域での摺動操作に係る操作位置に基づき、コンテンツデータの選択を行う処理等を行うシステムコントローラ１２と、を有するようにデジタルカメラ１を構成する。【選択図】図２
2006067439.tif 000002
【特許請求の範囲】
【請求項１】
少なくとも画像データ、音声データ、又は書籍データであるコンテンツデータを記録した記録メディアと、
前記コンテンツデータを表示する表示モニタと、
前記表示モニタに重ねて配置されたタッチパネルと、
前記タッチパネルの操作位置を検出する検出回路と、
前記コンテンツデータと前記タッチパネルの操作領域を告知する操作支援マークとを前記表示モニタに表示する第一の動作状態と、前記コンテンツデータのみを前記表示モニタに表示する第二の動作状態と、を切り替える切り替え手段と、
前記第一の動作状態において、前記タッチパネルの操作領域での摺動操作が行われたときに、前記検出回路により検出された少なくとも２つの異なる時点における前記操作領域での摺動操作に係る操作位置に基づき、前記コンテンツデータの選択を行う選択手段と、
を有することを特徴とする再生装置。
【請求項２】
画像データを記録した記録メディアと、
前記画像データを表示する表示モニタと、
前記表示モニタに重ねて配置されたタッチパネルと、
前記タッチパネルの操作位置を検出する検出回路と、
前記画像データと前記タッチパネルの操作領域を告知する操作支援マークとを前記表示モニタに表示する第一の動作状態と、前記画像データのみを前記表示モニタに表示する第二の動作状態と、を切り替える切り替え手段と、
前記第一の動作状態において、前記タッチパネルの操作領域での摺動操作が行われたときに、前記検出回路により検出された少なくとも２つの異なる時点における前記操作領域での摺動操作に係る操作位置に基づき、操作量と操作方向とを算出し、該算出結果に基づき前記画像データの選択を行う選択手段と、
を有することを特徴とする再生装置。
【請求項３】
前記切り替え手段は、当該再生装置に設けられた操作部の操作に応じて、前記第一の動作状態と前記第二の動作状態とを切り替える、
ことを特徴とする請求項１又は２記載の再生装置。
【請求項４】
前記切り替え手段は、前記タッチパネルの操作領域での摺動操作の終了に応じて前記第一の動作状態から前記第二の動作状態へ切り替え、前記タッチパネルのタップ操作に応じて前記第二の動作状態から前記第一の動作状態へ切り替える、
ことを特徴とする請求項１又は２記載の再生装置。
【請求項５】
前記切り替え手段は、前記第一の動作状態において、前記タッチパネルの操作が所定時間行われないときは、前記第二の動作状態へ切り替える、
ことを特徴とする請求項１又は２記載の再生装置。
【請求項６】
前記選択手段は、前記操作量として操作速度を算出し、該算出した操作速度が所定速度を超えるときは、前記表示モニタに表示する画像データの駒番号を前記操作方向に応じてカウントアップ又はカウントダウンし、該カウントアップ又はカウントダウンした駒番号の画像データを選択する、
ことを特徴とする請求項２記載の再生装置。
【請求項７】
前記選択手段は、前記操作量として操作位置の移動量を算出し、該算出した移動量が所定量を超えるときは、前記表示モニタに表示する画像データの駒番号を前記操作方向に応じてカウントアップ又はカウントダウンし、該カウントアップ又はカウントダウンした駒番号の画像データを選択する、
ことを特徴とする請求項２記載の再生装置。
【請求項８】
前記表示モニタは、前記選択手段により選択された画像データを表示する、
ことを特徴とする請求項２記載の再生装置。
【請求項９】
前記操作支援マークはドーナツ状の形状である、
ことを特徴とする請求項１又は２記載の再生装置。
【請求項１０】
前記操作支援マークは前記表示モニタの対角線に沿って所定の幅を持った帯状の形状である、
ことを特徴とする請求項１又は２記載の再生装置。
【請求項１１】
画像データを記録した記録メディアと、
前記画像データを表示する表示モニタと、
前記表示モニタに重ねて配置されたタッチパネルと、
前記タッチパネルの操作位置を検出する検出回路と、
前記画像データと前記タッチパネルの操作領域を告知する操作支援マークとを前記表示モニタに表示する第一の動作状態と、前記画像データのみを前記表示モニタに表示する第二の動作状態と、を切り替える切り替え手段と、
前記第一の動作状態において、前記タッチパネルの操作領域での摺動操作が行われたときに、前記検出回路により検出された少なくとも２つの異なる時点における前記操作領域での摺動操作に係る操作位置に基づき、操作量と操作方向とを算出し、該算出結果に基づき前記画像データの選択を行う選択手段と、
を有することを特徴とするカメラ。
【請求項１２】
少なくとも画像データ、音声データ、又は書籍データであるコンテンツデータを記録した記録メディアと、前記コンテンツデータを表示する表示モニタと、前記表示モニタに重ねて配置されたタッチパネルと、を有する再生装置におけるコンテンツデータの選択及び再生方法であって、
前記コンテンツデータと前記タッチパネルの操作領域を示す操作支援マークとを前記表示モニタに表示し、前記操作領域での摺動操作に係る操作量と操作方向とに基づいて前記コンテンツデータを選択し、該選択した前記コンテンツデータを前記記録メディアから読み出し前記表示モニタに表示する第一のステップと、
前記コンテンツデータのみを前記表示モニタに表示する第二のステップと、
前記再生装置に対して行われた所定の操作に応じて、前記第一のステップ又は前記第二のステップへ移行する第三のステップと、
を有することを特徴とするコンテンツデータの選択及び再生方法。
【請求項１３】
画像データを記録した記録メディアと、前記画像データを表示する表示モニタと、前記表示モニタに重ねて配置されたタッチパネルと、を有する再生装置における画像データの選択及び再生方法であって、
前記画像データと前記タッチパネルの操作領域を示す操作支援マークとを前記表示モニタに表示し、前記操作領域での摺動操作に係る操作量と操作方向とに基づいて前記表示モニタに表示する駒番号を変更し、該変更した駒番号の画像データを前記記録メディアから読み出し前記表示モニタに表示する第一のステップと、
前記画像データのみを前記表示モニタに表示する第二のステップと、
前記再生装置に設けられた操作部の操作に応じて、前記第一のステップ又は前記第二のステップへ移行する第三のステップと、
を有することを特徴とする画像データの選択及び再生方法。
【請求項１４】
画像データを記録した記録メディアと、前記画像データを表示する表示モニタと、前記表示モニタに重ねて配置されたタッチパネルと、を有する再生装置における画像データの選択及び再生方法であって、
前記画像データと前記タッチパネルの操作領域を示す操作支援マークとを前記表示モニタに表示し、前記操作領域内での摺動操作に係る操作量と操作方向とに基づいて前記表示モニタに表示する駒番号を変更し、該変更した駒番号の画像データを前記記録メディアから読み出し前記表示モニタに表示する第一のステップと、
前記画像データのみを前記表示モニタに表示する第二のステップと、
前記第一のステップにおいて前記タッチパネルの操作が終了すると前記第二のステップへ移行し、前記第二のステップにおいて前記タッチパネルのタップ操作が行われると前記第一のステップへ移行する第三のステップと、
を有することを特徴とする画像データの選択及び再生方法。
【発明の詳細な説明】
【技術分野】
【０００１】
本発明は、画像，音楽，書籍等の電子データを選択再生する装置、及び方法に関する。
【背景技術】
【０００２】
従来、画像，音楽，書籍等の電子データを再生する装置がある。このような再生装置では、一般に、メモリに記録された画像，音楽，書籍等の電子データを、ユーザの指示に応じて再生することができるようになっている。近年においては、そのメモリの価格が低下したことにより、大容量のメモリが使用されるようになってきている。
【０００３】
例えば、画像再生装置でもあるデジタルカメラでは、一つのメモリに記録可能な画像数が益々増えており、そのため、大量の画像が記録されたメモリから所望の画像を短時間で検索するための効率的な検索手段が必要になっている。この画像検索のための手段として良く知られ且つ実際に利用されているものは、複数のサムネイル画像を一括表示させ、これを十字キー等の操作に応じて順次送るようにした手段である。また、これ以外の手段としてジョグダイヤルを利用するものもある。例えば、特許文献１には、ＬＣＤ（ Liquid Crystal Display ）搭載面の反対側の面にジョグダイヤルを設け、このジョグダイヤルの回転操作に応じてＬＣＤに表示させる画像を順次切り換えるようにした手段が提案されている。
【０００４】
一方、公知の入力手段として、タッチパネルがある。タッチパネルは、一般に、操作面積が必要になることから表示画面が小さい携帯型の機器には不向きであったが、最近ではＬＣＤの価格が下がり、例えばデジタルカメラ等のような携帯型の機器であってもサイズが大きいＬＣＤが搭載されるようになり、併せてタッチパネルも利用し易い環境になってきている。
【０００５】
タッチパネルを利用して各種操作を行うことが可能な例えばデジタルカメラにおいては、画像検索のための手段として、一般に、押し釦的形式による画像送りが知られているが、これ以外にも、例えば特許文献２には、タッチパネル面が水平になぞり操作されると、そのときのなぞり方向と速度に応じて画像再生速度を変化させるようにした手段が提案されている。
【特許文献１】特開平１１−２３１９８９号公報
【特許文献２】特開２００４−１０４５９４号公報
【発明の開示】
【発明が解決しようとする課題】
【０００６】
ところで、タッチパネルにおいて、押し釦的形式による画像送りは、１駒（コマ）づつゆっくりと画像を送る場合には良いが、素早く連続的に画像を送る場合には、指の早い動きが要求されるために、不向きである。また、特許文献２に提案されている手段においては、カメラを保持したままで水平方向になぞり操作を行うことは、人間工学上、操作をし易いとはいい難い。
【０００７】
一方、ジョグダイヤルにおいては、当該ダイヤルの設置スペースが通常の操作部材よりも大きく必要になることから、ある程度大きな面積を要するタッチパネルを備えたデジタルカメラ等の装置に、更にジョグダイヤルを併用して備えることは、装置の大型化を招くことになるので採用することはできない。
【０００８】
このような理由から、これまでの再生装置においては、タッチパネルを用いて、画像，音楽，書籍等の所望の電子データを容易な操作で選択再生することができなかった。
本発明は、上記実情に鑑み、タッチパネルを用いて、画像，音楽，書籍等の所望の電子データを容易な操作で選択再生することができる、装置及び方法を提供することを目的とする。
【課題を解決するための手段】
【０００９】
上記目的を達成するため、本発明の第１の態様に係る再生装置は、少なくとも画像データ、音声データ、又は書籍データであるコンテンツデータを記録した記録メディアと、前記コンテンツデータを表示する表示モニタと、前記表示モニタに重ねて配置されたタッチパネルと、前記タッチパネルの操作位置を検出する検出回路と、前記コンテンツデータと前記タッチパネルの操作領域を告知する操作支援マークとを前記表示モニタに表示する第一の動作状態と、前記コンテンツデータのみを前記表示モニタに表示する第二の動作状態と、を切り替える切り替え手段と、前記第一の動作状態において、前記タッチパネルの操作領域での摺動操作が行われたときに、前記検出回路により検出された少なくとも２つの異なる時点における前記操作領域での摺動操作に係る操作位置に基づき、前記コンテンツデータの選択を行う選択手段と、を有する構成である。
【００１０】
本発明の第２の態様に係る再生装置は、画像データを記録した記録メディアと、前記画像データを表示する表示モニタと、前記表示モニタに重ねて配置されたタッチパネルと、前記タッチパネルの操作位置を検出する検出回路と、前記画像データと前記タッチパネルの操作領域を告知する操作支援マークとを前記表示モニタに表示する第一の動作状態と、前記画像データのみを前記表示モニタに表示する第二の動作状態と、を切り替える切り替え手段と、前記第一の動作状態において、前記タッチパネルの操作領域での摺動操作が行われたときに、前記検出回路により検出された少なくとも２つの異なる時点における前記操作領域での摺動操作に係る操作位置に基づき、操作量と操作方向とを算出し、該算出結果に基づき前記画像データの選択を行う選択手段と、を有する構成である。
【００１１】
本発明の第３の態様に係る再生装置は、上記第１又は２の態様において、前記切り替え手段は、当該再生装置に設けられた操作部の操作に応じて、前記第一の動作状態と前記第二の動作状態とを切り替える、構成である。
【００１２】
本発明の第４の態様に係る再生装置は、上記第１又は２の態様において、前記切り替え手段は、前記タッチパネルの操作領域での摺動操作の終了に応じて前記第一の動作状態から前記第二の動作状態へ切り替え、前記タッチパネルのタップ操作に応じて前記第二の動作状態から前記第一の動作状態へ切り替える、構成である。
【００１３】
本発明の第５の態様に係る再生装置は、上記第１又は２の態様において、前記切り替え手段は、前記第一の動作状態において、前記タッチパネルの操作が所定時間行われないときは、前記第二の動作状態へ切り替える、構成である。
【００１４】
本発明の第６の態様に係る再生装置は、上記第２の態様において、前記選択手段は、前記操作量として操作速度を算出し、該算出した操作速度が所定速度を超えるときは、前記表示モニタに表示する画像データの駒番号を前記操作方向に応じてカウントアップ又はカウントダウンし、該カウントアップ又はカウントダウンした駒番号の画像データを選択する、構成である。
【００１５】
本発明の第７の態様に係る再生装置は、上記第２の態様において、前記選択手段は、前記操作量として操作位置の移動量を算出し、該算出した移動量が所定量を超えるときは、前記表示モニタに表示する画像データの駒番号を前記操作方向に応じてカウントアップ又はカウントダウンし、該カウントアップ又はカウントダウンした駒番号の画像データを選択する、構成である。
【００１６】
本発明の第８の態様に係る再生装置は、上記第２の態様において、前記表示モニタは、前記選択手段により選択された画像データを表示する、構成である。
本発明の第９の態様に係る再生装置は、上記第１又は２の態様において、前記操作支援マークはドーナツ状の形状である、構成である。
【００１７】
本発明の第１０の態様に係る再生装置は、上記第１又は２の態様において、前記操作支援マークは前記表示モニタの対角線に沿って所定の幅を持った帯状の形状である、構成である。
【００１８】
本発明の第１１の態様に係るカメラは、画像データを記録した記録メディアと、前記画像データを表示する表示モニタと、前記表示モニタに重ねて配置されたタッチパネルと、前記タッチパネルの操作位置を検出する検出回路と、前記画像データと前記タッチパネルの操作領域を告知する操作支援マークとを前記表示モニタに表示する第一の動作状態と、前記画像データのみを前記表示モニタに表示する第二の動作状態と、を切り替える切り替え手段と、前記第一の動作状態において、前記タッチパネルの操作領域での摺動操作が行われたときに、前記検出回路により検出された少なくとも２つの異なる時点における前記操作領域での摺動操作に係る操作位置に基づき、操作量と操作方向とを算出し、該算出結果に基づき前記画像データの選択を行う選択手段と、を有する構成である。
【００１９】
本発明の第１２の態様に係るコンテンツデータの選択及び再生方法は、少なくとも画像データ、音声データ、又は書籍データであるコンテンツデータを記録した記録メディアと、前記コンテンツデータを表示する表示モニタと、前記表示モニタに重ねて配置されたタッチパネルと、を有する再生装置におけるコンテンツデータの選択及び再生方法であって、前記コンテンツデータと前記タッチパネルの操作領域を示す操作支援マークとを前記表示モニタに表示し、前記操作領域での摺動操作に係る操作量と操作方向とに基づいて前記コンテンツデータを選択し、該選択した前記コンテンツデータを前記記録メディアから読み出し前記表示モニタに表示する第一のステップと、前記コンテンツデータのみを前記表示モニタに表示する第二のステップと、前記再生装置に対して行われた所定の操作に応じて、前記第一のステップ又は前記第二のステップへ移行する第三のステップと、を有する構成である。
【００２０】
本発明の第１３の態様に係る画像データの選択及び再生方法は、画像データを記録した記録メディアと、前記画像データを表示する表示モニタと、前記表示モニタに重ねて配置されたタッチパネルと、を有する再生装置における画像データの選択及び再生方法であって、前記画像データと前記タッチパネルの操作領域を示す操作支援マークとを前記表示モニタに表示し、前記操作領域での摺動操作に係る操作量と操作方向とに基づいて前記表示モニタに表示する駒番号を変更し、該変更した駒番号の画像データを前記記録メディアから読み出し前記表示モニタに表示する第一のステップと、前記画像データのみを前記表示モニタに表示する第二のステップと、前記再生装置に設けられた操作部の操作に応じて、前記第一のステップ又は前記第二のステップへ移行する第三のステップと、を有する構成である。
【００２１】
本発明の第１４の態様に係る画像データの選択及び再生方法は、画像データを記録した記録メディアと、前記画像データを表示する表示モニタと、前記表示モニタに重ねて配置されたタッチパネルと、を有する再生装置における画像データの選択及び再生方法であって、前記画像データと前記タッチパネルの操作領域を示す操作支援マークとを前記表示モニタに表示し、前記操作領域内での摺動操作に係る操作量と操作方向とに基づいて前記表示モニタに表示する駒番号を変更し、該変更した駒番号の画像データを前記記録メディアから読み出し前記表示モニタに表示する第一のステップと、前記画像データのみを前記表示モニタに表示する第二のステップと、前記第一のステップにおいて前記タッチパネルの操作が終了すると前記第二のステップへ移行し、前記第二のステップにおいて前記タッチパネルのタップ操作が行われると前記第一のステップへ移行する第三のステップと、を有する構成である。
【発明の効果】
【００２２】
本発明によれば、タッチパネルを用いて、画像，音楽，書籍等の所望の電子データを容易な操作で選択し再生することができる。
【発明を実施するための最良の形態】
【００２３】
以下、本発明の実施例を図面を参照しながら説明する。
【実施例１】
【００２４】
図１Ａ及び図１Ｂは、本発明の実施例１に係る再生装置を適用したデジタルカメラの外観斜視図である。
同図Ａ及びＢに示したように、デジタルカメラ１は、当該カメラ正面に撮影レンズ２を備え、当該カメラ上面に撮影指示を行うためのレリーズＳＷ（スイッチ）３を備え、当該カメラ左側面にヘッドフォン等が接続されるジャック４を備えている。また、当該カメラ背面に、撮影モードの設定指示を行うためのＲＥＣモードＳＷ５と、再生モードの設定指示等を行うためのＰＬＡＹモードＳＷ６と、指や専用のペン或いはスティック等で触れる或いは摺動する等の操作により当該カメラへの各種の入力や指示等を可能にする、液晶モニタ上に設けられたタッチパネル７を備えている。尚、摺動する操作には、なぞる，擦る，若しくは摺接する等の操作も含まれる。
【００２５】
図２は、デジタルカメラ１の主要構成を示す図である。
同図において、ＣＣＤ（ Charge Coupled Devices ）８は、撮影レンズ２により結像された被写体像を電気信号（アナログ電気信号）に光電変換する。ＣＣＤインターフェース回路９は、ＣＣＤ８により光電変換された電気信号に対し所定の撮像処理を行い一定形式の画像データ（デジタル電子データ）を得る。
【００２６】
ＦｌａｓｈＲｏｍ１０には、当該カメラ１全体の動作を制御するための制御プログラムやその制御プログラムの実行に必要な各種データが記録されている。
ＳＤＲＡＭ（ Synchronous DRAM ）１１は、ＣＣＤインターフェース回路９により得られた画像データの一時格納用、及びシステムコントローラ１２のワークエリア等として使用される。
【００２７】
システムコントローラ１２は、ＦｌａｓｈＲｏｍ１０に記録されている制御プログラムを読み出し実行することにより、当該カメラ１全体の動作を制御する。また、システムコントローラ１２は、所定の画像処理や、画像データの圧縮／伸長処理等も行う。
【００２８】
記録メディア（メディアカード）１３は、例えばメモリカードや小型ＨＤＤ（ハードディスク）等、当該カメラ１に着脱自在の記録媒体である。
マイク（マイクロフォン）１４は、音声を電気信号（アナログ電気信号）に変換する。音声コーデック回路１５は、マイク１４により変換された電気信号に対し所定のコード処理を行い一定形式の音声データ（デジタル電子データ）を得る。また、音声コーデック回路１５は、その音声データに対し所定のデコード処理を行いヘッドフォン１６等の外部の発音装置が発音可能な形式の音声信号（アナログ電気信号）を得る。ジャック１７は、音声コーデック回路１５とヘッドフォン１６等の外部の発音装置とを接続するためのコネクターである。ヘッドフォン１６は、入力された音声信号に応じて発音する。
【００２９】
タッチパネル６は、透明のスクリーン状であって、指や専用のペン或いはスティック等で当該パネルを触れる或いはなぞる等の操作により当該カメラ１への各種の入力や指示を可能にするものである。タッチパネル検出回路１９は、指や専用のペン或いはスティック等がタッチパネル６に触れられているときに、その接触位置を検出する。
【００３０】
液晶モニタ駆動回路２０は、液晶モニタ１８を駆動し、液晶モニタ１８は、液晶モニタ駆動回路２０による駆動に応じて画像や各種メニュー等を表示する。
白黒ＬＣＤ２１は、当該カメラ１の設定状態を表示する。カメラ操作ＳＷ２２は、前述のレリーズＳＷ３，ＲＥＣモードＳＷ５，ＰＬＡＹモードＳＷ６等を含み、当該カメラ１への所定の指示を行うためのＳＷである。ＵＳＢ（ Universal Serial Bus ）コントローラ２３は、当該カメラ１とＵＳＢにより接続されている外部機器との間でデータの送受を行うための制御を行う。
【００３１】
このような構成により、例えばＲＥＣモードＳＷ５が操作される等して撮影モードが設定されているときにレリーズＳＷ３が操作されると、結像面に結像されている被写体像がＣＣＤ８により電気信号に光電変化され、更にＣＣＤインターフェース回路９により所定の画像処理が行われて一定形式の画像データが得られる。この画像データは、システムコントローラ１２により、所定の画像処理が行われた後、更に画像圧縮処理が行われて、記録メディア１３に記録される。画像データと駒番号を対応させる方法は次のようなものがある。１：画像データは駒番号をファイル名の一部に含む形式で記録する。２：画像データの属性情報に駒番号を記録する。このような方法で記録メディア１３へ画像データを記録することで、駒番号に基づく検索が可能になる。
【００３２】
また、撮影モードであるときに、所定の操作により当該カメラに録音指示が行われると所定時間の録音が可能になっており、この場合には、音声がマイク１４により電気信号に変換され、音声コーデック回路１５によりコード処理が行われて一定形式の音声データが得られる。そして、その音声データが記録メディア１３に記録される。
【００３３】
一方、例えばＰＬＡＹモードＳＷ６が操作される等して再生モードが設定されているときに、後述する、指や専用のペン或いはスティック等によるタッチパネル７の操作によって記録メディア１３に記録されている特定の画像データの選択、再生指示が為されると、その画像データが記録メディア１３から読み出される。読み出された画像データは、システムコントローラ１２により画像伸長処理が行われて、液晶モニタ１８に表示される。
【００３４】
また、同様にして記録メディア１３に記録されている特定の音声データの選択、再生指示が為されると、その音声データが記録メディア１３から読み出される。読み出された音声データは、音声コーデック回路１５によりデコード処理が行われ、例えばジャック１７に接続されているヘッドフォン１６により発音される。
【００３５】
図３は、再生モードにおいて、カメラ操作者がタッチパネル７を介して画像データの選択指示等を行う際に液晶モニタ１８に表示される画面の一例を示す図である。
同図に示したように、画像データの選択指示等が行われる際には、液晶モニタ１８の表示画面に、例えば撮影された画像データに係る不図示の画像と共に、タッチパネル７の操作領域を告知するためのドーナツ状の操作支援マーク２４が重ねて表示される。このとき、操作支援マーク２４は、液晶モニタ１８の表示画面中央に配置され、また、重ねて表示されても確認が可能になるようにハーフトーン状（半透明状）に表示される。本実施例において、このドーナツ状の操作支援マーク２４の内周半径と外周半径を、それぞれＲＡとＲＢとする。
【００３６】
これにより、カメラ操作者は、液晶モニタ１８に表示された操作支援マーク２４の領域（同図ハッチング部）に対応するタッチパネル７の操作領域を指で同図矢印方向になぞる等の操作によって、すなわち、操作支援マーク２４をタッチパネル７の上から指で同図矢印方向になぞる等の操作によって、当該カメラ１に対して、例えば画像データ等の選択指示を行うことが可能になる。
【００３７】
図４は、再生モードにおいて、カメラ操作者がタッチパネル７を介して所望の画像データを選択する際の、液晶モニタ１８に表示される画面の変化の一例を示す図である。
同図において、表示画面２５は、駒番号１０の画像データに係る画像が表示されたときの画面である。表示画面２５内の右下には、画像の駒番号が１０であることを示すＮ＝０１０が表示される。また、この表示画面には、図３を用いて説明したように、画像に操作支援マーク２４が重ねて表示され、画像の選択指示を行うことが可能になっている。
【００３８】
この表示画面２５において、例えば、カメラ操作者が、操作支援マーク２４の領域に対応するタッチパネル７の操作領域を指でＣＷ方向（時計方向）になぞると、駒番号がカウントアップされ、該当する駒番号が含まれるファイル名の画像データが記録メディア１３より読み出される。そして、表示画面２６に示したように、駒番号１０の画像に代わって駒番号１１の画像データに係る画像が表示される。
【００３９】
このように、カメラ操作者が、操作支援マーク２４に対応するタッチパネル７の操作領域を指でＣＷ方向になぞることによって、駒番号がカウントアップされ、カウントアップ前の画像に代わってカウントアップ後の駒番号の画像データに係る画像が表示されるようになる。また、このようなＣＷ方向へのなぞり操作が継続して行われることによって、駒番号がカウントアップする方向に画像がスクロール表示（単にスクロールアップともいう）されるようになる。
【００４０】
一方、表示画面２５において、例えば、カメラ操作者が、操作支援マーク２４の領域に対応するタッチパネル７の操作領域を指でＣＣＷ方向（反時計方向）になぞると、駒番号がカウントダウンされ、表示画面２７に示したように、駒番号１０の画像に代わって駒番号９の画像データに係る画像が表示される。
【００４１】
このように、カメラ操作者が、操作支援マーク２４に対応するタッチパネル７の操作領域を指でＣＣＷ方向になぞることによって、駒番号がカウントダウンされ、カウントダウン前の画像に代わってカウントダウン後の駒番号の画像データに係る画像が表示されるようになる。また、このようなＣＣＷ方向へのなぞり操作が継続して行われることによって、駒番号がカウントダウンする方向に画像がスクロール表示（単にスクロールダウンともいう）されるようになる。
【００４２】
これにより、カメラ操作者は、操作支援マーク２４をタッチパネル７の上から指で所望の方向になぞることによって、画像のスクロールアップ又はスクロールダウンを行うことが可能になる。
【００４３】
また、カメラ操作者は、このようにして所望の画像を表示させたところで、当該カメラ１に所定の操作を行うことで、表示画面２８に示したように、画像のみを表示させることも可能になっている。これにより、カメラ操作者は所望の画像を操作支援マーク２４無しの状態で鑑賞することができる。また、この状態であるときに、カメラ操作者が、所定の操作を行うと、表示画面２５に示したように、再び、その操作支援マーク２４が重ねて表示されるようになり、再び、画像の選択が可能な状態となる。
【００４４】
尚、画像の選択が可能な状態（例えば表示画面２５，２６，２７）と、画像を鑑賞するための状態（例えば表示画面２８）とを切り替えるための操作手段としては、例えばカメラ操作ＳＷ２２やタッチパネル６等を利用することが可能である。本実施例では、カメラ操作ＳＷ２２の一つであるＰＬＡＹモードＳＷ５を利用して、これらの状態を切り替えるものとする。
【００４５】
図５は、上述した動作を含む、本実施例に係るデジタルカメラ１の動作を示すフローチャートである。尚、本動作は、システムコントローラ１２が、ＦｌａｓｈＲｏｍ１０に記録されている制御プログラムを読み出し実行することによって行われる動作である。
【００４６】
同図において、カメラ操作ＳＷ２２の一つである不図示のＰｏｗｅｒＳＷがＯＮされると本動作が開始し、システムコントローラ１２は、まず、動作モードとして撮影モードを設定する（ステップ（以下単に「Ｓ」という）１）。
【００４７】
尚、撮影モードが設定されているときには、カメラ操作ＳＷ２２の一つであるレリーズＳＷ３が操作されると、撮影動作を実行し、撮影された画像データが記録メディア１３に記録される。一方、記録メディア１３に記録された画像データに係る画像の閲覧は、再生モードが設定されているときに可能になっている。再生モードへの設定切り替えは、カメラ操作ＳＷ２２の一つであるＰＬＡＹモードＳＷ５の操作により可能である。また、撮影モードへの設定切り替えは、カメラ操作ＳＷ２２の一つであるＲＥＣモードＳＷ４の操作により可能である。
【００４８】
Ｓ１の後、続いて、ＰＬＡＹモードＳＷ５が操作されたか否かを判定し（Ｓ２）、その判定結果がＹｅｓの場合にはＳ３へ進み、Ｎｏの場合にはＳ１へ戻る。尚、Ｓ２がＮｏとなって処理がＳ１へ戻ったときには、Ｓ１にて、あらためて撮影モードの設定が行われることはない。
【００４９】
Ｓ２の判定結果がＹｅｓの場合には、続いて、動作モードを撮影モードから再生モードへ切り替え、そして駒番号Ｎｘの設定を行う（Ｓ３）。尚、駒番号Ｎｘは、液晶モニタ１８に表示する画像に係る画像データの駒番号である。本実施例では、Ｓ３で設定される駒番号Ｎｘを、最後に撮影された画像データの駒番号とするが、対応する画像データが存在するのであれば他の駒番号とすることも可能である。
【００５０】
続いて、タッチパネル検出回路１９の動作を許可する（Ｓ４）。これは、例えば、タッチパネル検出回路１９への電力供給を制御する不図示の半導体ＳＷを、ＯＦＦからＯＮにすることによって行われる。
【００５１】
続いて、パネル許可フラグをセットする（Ｓ５）。パネル許可フラグは、前述の図４を用いて説明した、再生モードにおける二つの状態の何れかを指示するために存在する。具体的には、パネル許可フラグがセット（”1”）されている場合には、画像と共に操作支援マーク２４が表示され、そこでカメラ操作者が操作支援マーク２４をタッチパネル７を介してＣＷ或いはＣＣＷ方向に指等でなぞることにより、駒番号Ｎｘがインクリメント或いはデクリメントされ、そのインクリメント或いはデクリメントされた駒番号Ｎｘに対応する画像データが記録メディア１３から読み出され液晶モニタ１８に表示されるようになる。一方、パネル許可フラグがクリア（”０”）されている場合には、操作支援マーク２４が液晶モニタ１８に表示されないで画像のみが表示されるようになる。これは、画像鑑賞或いは画像観察の際には操作支援マーク２４が不要となり目障りとなるからである。尚、この場合には、操作支援マーク２４が表示されていないことから、画像の選択が出来ないことになる。
【００５２】
Ｓ５の後、続いて、Ｓ４で設定された駒番号Ｎｘの画像データを記録メディア１３から読み出し（Ｓ６）、この読み出した画像データを液晶モニタ１８の表示サイズへ変換し、この変換後の画像データに、操作支援マーク２４と撮影情報（例えば駒番号等）を合成し、この合成後の画像データを液晶モニタ駆動回路２０へ出力して液晶モニタ１８に表示する（Ｓ７）。
【００５３】
これらのＳ４乃至７によって、動作モードが再生モードに切り替えられた後は、タッチパネル６の操作によって画像の選択が可能な状態となる。
Ｓ７の後、続いて、パネル操作フラグが”１”であるか”０”であるかを判定し（Ｓ８）、その判定結果が”１”である場合にはＳ９へ進み、”０”である場合にはＳ１９へ進む。
【００５４】
このＳ８の判定結果が”１”である場合には、続いて、この時のタッチパネル７の操作位置に係る位置データ（操作データともいう）を、タッチパネル検出回路１９から取得する（Ｓ９）。但し、この時にカメラ操作者がタッチパネル７の操作を行っていなかった場合には、本ステップをスキップする。
【００５５】
尚、このＳ９の処理は、再生モードが設定され且つパネル許可フラグが”１”である場合に限り、所定周期である所定時間Δｔ毎に行われるようになっている。
続いて、Ｓ９にて取得した位置データを直交座標から極座標に座標変換する（Ｓ１０）。但し、Ｓ９にて、カメラ操作者がタッチパネル７の操作を行っていなかった場合には、本ステップをスキップする。
【００５６】
ここで、直交座標から極座標への座標変換の手法を図６を用いて説明する。
尚、同図は、カメラ操作者が操作支援マーク２４に対応するタッチパネル７の操作領域を指でなぞったときの軌跡（操作軌跡ともいう）を示す図である。
【００５７】
同図に示したように、本実施例では、液晶モニタ１８の表示画面の左下位置に対応する位置に基準点Ｐｘｙを設け、これを直交座標の原点（０，０）とし、Ｘ軸，Ｙ軸を設定する。タッチパネル検出回路１９は、この設定に従って、検出した位置データを直交座標データとして出力する。ところで、カメラ操作者によるこのような操作軌跡は、操作支援マーク２４の中心（Ｘｃ，Ｙｃ）を中心とする円弧状或いは円周状の曲線に近似することが可能である。従って、このような軌跡となる位置データを取り扱う場合には、直交座標より極座標を用いる方が好ましい。そこで、操作支援マーク２４の中心座標（Ｘｃ，Ｙｃ）を、極座標の基準位置Ｐｒθとし、基準軸を仮にＰｒθからＸ軸に水平に設定する。
【００５８】
これにより、直交座標系のＸ，Ｙは、次式（１），（２）により、極座標系のＲ，θに変換することができる。
Ｒ＝（（Ｘ−Ｘｃ）＾２＋（Ｙ−Ｙｃ）＾２）＾（１／２）  （１）
θ＝ａｒｃｔａｎ（（Ｙ−Ｙｃ）／（Ｘ−Ｘｃ））        （２）
図５に戻り、このようにして位置データを直交座標から極座標に変換すると、続いて、Ｓ９で取得した位置データ（或いはＳ１０で極座標に変換した位置データ）が、操作支援マーク２４に対応するタッチパネル７の操作領域に含まれるか否か（Ｓ１１）、すなわち、その操作領域でタッチパネル７が操作されたか否かを判定する。そして、その判定結果がＹｅｓの場合にはＳ１２へ進み、Ｎｏの場合にはＳ１９へ進む。但し、Ｓ９にて、カメラ操作者がタッチパネル７の操作を行っていなかった場合には、本ステップの判定結果はＮｏとなる。
【００５９】
この判定処理により、操作領域外でタッチパネル７が操作されたときには、操作領域でタッチパネル７が操作されなかったものと判定される。
尚、このＳ１１の判定は、Ｓ１０で極座標に変換された位置データを用いることで、タッチパネル７の操作位置を極座標系で判断することが可能である。例えば、図６に示したように、Ｓ１０で変換された極座標データを（Ｒｎ，θｎ）とし、操作支援マーク２４に対応するタッチパネル７の操作領域を半径Ｒｂ，Ｒａによって定義されたドーナツ状の形状とすると、ＲｎがＲａ以上Ｒｂ以下ならば、操作領域で操作が行われていると判定することができる。すなわち、Ｓ１１では、次式（３）により判定を行うことが可能である。
【００６０】
Ｒａ≦Ｒｎ≦Ｒｂ  （３）
これにより、操作支援マーク２４に対応するタッチパネルの操作領域で操作が行われたか否かを判定することができるようになっている。
【００６１】
尚、本実施例では、Ｒａ，ＲｂとＲＡ，ＲＢ（図３参照）との関係を、Ｒａ＝ＲＡ，Ｒｂ＝ＲＢとするが、必要に応じて、ＲｂをＲＢよりやや大きく或いはやや小さく、ＲａをＲＡよりやや小さく或いはやや大きく設定することも可能である。
【００６２】
Ｓ１１の判定において、その判定結果がＹｅｓの場合、すなわち、Ｒｎが式（３）の条件を満たしている場合には、続いて、この位置データ（最新の位置データ）と所定時間Δｔ前に取得された位置データとから、操作軌跡の算出、すなわち操作軌跡の量と方向（摺動操作に係る操作量と操作方向）を求める（Ｓ１２）。但し、所定時間Δｔ前の位置データが取得されていない場合には、操作軌跡の量と方向を求めることができないので、この場合には、本ステップをスキップする。
【００６３】
ここで、その２つの位置データから、操作軌跡の量と方向を求める手法を図６を用いて説明する。
同図において、操作軌跡２９は、カメラ操作者が、操作支援マーク２４に対応するタッチパネル７の操作領域を、操作開始位置（同図×印）３０から操作終了位置（同図×印）３１までＣＷ方向に指でなぞったときの操作軌跡を示している。また、操作軌跡２９上のドットで示した点は、所定時間Δｔ間隔で検出（取得）した位置データに係る点を示している。
【００６４】
この操作軌跡２９において、ある時刻での操作位置Ｐｎの極座標を（Ｒｎ，θｎ）とし、その所定時間Δｔ後の時刻での操作位置Ｐｎ＋１の極座標を（Ｒｎ＋１，θｎ＋１）とし、また、Ｒｎ及びＲｎ＋１は、共に式（３）の条件を満たしているものとすると、操作軌跡の量と方向は、次式（４）により求めることができる。
【００６５】
θｖ＝（θｎ＋１−θｎ）  （４）
ここで、θｖは、操作軌跡の量（操作量を表す軌跡変化率（角速度）でもある）である。また、このθｖの値が正であるか負であるかに応じて操作軌跡の方向（操作方向）が決定される。すなわち、操作軌跡の方向は、θｖの値が正である場合にはＣＣＷ方向、負である場合にはＣＷ方向となる。
【００６６】
図５に戻り、このようにして操作軌跡の量と方向が求められると、続いて、操作軌跡の量（角速度）θｖが所定値θｖｏを超えたか否かを判定し（Ｓ１３）、その判定結果がＹｅｓの場合にはＳ１４へ進み、Ｎｏの場合にはＳ９へ戻る。
【００６７】
尚、本実施例では、θｖが所定値θｖｏを超えたときに駒番号Ｎｘを変更するようになっている。ここで、θｖｏの値は、固定とすることもでき、或いは、使い勝手を考慮して、カメラ操作者が好みに応じて設定できるようにすることも可能である。
【００６８】
Ｓ１３の判定結果がＹｅｓの場合には、続いて、操作軌跡の方向がＣＷ方向であるかＣＣＷ方向であるかを判定し（Ｓ１４）、その判定結果がＣＷ方向である場合（θｖが負の場合）には駒番号Ｎｘをカウントアップし（Ｓ１５）、その判定結果がＣＣＷ方向である場合（θｖが正の場合）には駒番号Ｎｘをカウントダウンする（Ｓ１６）。
【００６９】
尚、ＣＷ／ＣＣＷ方向とカウントアップ／ダウンの関係は、使い勝手を考慮して、カメラ操作者が好みに応じて設定できるようにすることも可能である。
続いて、駒番号Ｎｘの画像データを記録メディア１３から読み出し（Ｓ１７）、この読み出した画像データを液晶モニタ１８の表示サイズへ変換し、この変換後の画像データに、操作支援マーク２４と撮影情報（例えば駒番号等）を合成し、この合成後の画像データを液晶モニタ駆動回路２０へ出力して液晶モニタ１８に表示する（Ｓ１８）。そして、処理がＳ９へ戻る。
【００７０】
一方、Ｓ８の判定結果が”０”の場合、或いは、Ｓ１１の判定結果がＮｏの場合には、続いて、ＲＥＣモードＳＷ４が操作されたか否かを判定し（Ｓ１９）、その判定結果がＹｅｓの場合にはＳ２０へ進み、Ｎｏの場合にはＳ２２へ進む。
【００７１】
Ｓ１９の判定結果がＹｅｓの場合には、続いて、動作モードを再生モードから撮影モードに切り替え、タッチパネル検出回路１９の動作（タッチパネル検出回路１９への電力供給）を停止し（Ｓ２０）、液晶モニタ１８上の表示を消す（Ｓ２１）。そして、処理がＳ１へ戻る。
【００７２】
一方、Ｓ１９の判定結果がＮｏの場合には、続いて、ＰＬＡＹモードＳＷが操作されたか否かを判定し（Ｓ２２）、その判定結果がＹｅｓの場合にはＳ２３へ進み、Ｎｏの場合にはＳ８へ戻る。
【００７３】
Ｓ２２の判定結果がＹｅｓの場合には、続いて、パネル許可フラグの状態を反転する（Ｓ２３）。すなわち、パネル許可フラグが”１”ならば”０”に、”０”ならば”１”に設定する。
【００７４】
続いて、パネル許可フラグが”１”であるか”０”であるかを判定し（Ｓ２４）、その判定結果が”１”の場合には、液晶モニタ１８に表示されている画像に操作支援マーク２４を合成表示し（Ｓ２５）、その判定結果が”０”の場合には、液晶モニタ１８に表示されている画像から操作支援マーク２４を消去する（Ｓ２６）。そして、処理がＳ８へ戻る。
【００７５】
これらのＳ２２乃至２６の処理により、再生モードにおいて、画像を鑑賞するための状態と、画像の選択が可能な状態（画像のスクロールが可能な状態）とを任意に選択可能になる。
【００７６】
尚、上記のフローでは、操作軌跡の量（操作量）として角速度を求めたが、この角速度の代わりに角度（操作位置の移動量でもある）を求めるようにすることも可能である。この場合には、求めた角度が所定角度を超える毎に駒番号Ｎｘを変更するようにする。
【００７７】
図７は、操作軌跡の量として角度を求めるようにした手法を説明するための図である。
同図において、操作軌跡３２は、カメラ操作者が、操作支援マーク２４に対応するタッチパネル７の操作領域を、操作開始位置（同図×印）３３から操作終了位置（同図×印）３４までＣＷ方向に指でなぞったときの操作軌跡を示している。また、操作軌跡３２上のドットで示した点は、所定時間Δｔ間隔で検出（取得）した位置データに係る点を示している。
【００７８】
ここで、操作軌跡３２上のＰ０を操作角度θｘの測定開始基準点とすると、Ｐ０の極座標（Ｒ０，θ０）を基準に、Ｐ０から所定時間Δｔ間隔で順に取得される位置データ毎に、操作角度θｘの算出が行われる。
【００７９】
例えば、Ｐ３（Ｐ３，θ３）において始めて操作角度θｘ（＝θ０−θ３）が所定値θｘｏを超えたとすると、ここで駒番号Ｎｘの変更が行われる。そして、このときのＰ３を新たな測定開始基準点として設定し、再び、Ｐ３から所定時間Δｔ間隔で順に取得される位置データ毎に、操作角度θｘの算出が行われる。
【００８０】
例えば、Ｐ３を新たな測定開始基準点として設定してから、Ｐ７（Ｐ７，θ７）において始めて操作角度θｘ（＝θ３−θ７）が所定値θｘｏを超えたとすると、ここで再び駒番号Ｎｘの変更が行われる。
【００８１】
このような動作は、カメラ操作者が操作支援マーク２４に対応するタッチパネル７の操作領域を指でなぞり続ける限り、繰り返される。
尚、θｘｏの値は、固定とすることもでき、或いは、使い勝手を考慮して、カメラ操作者が好みに応じて設定できるようにすることも可能である。
【００８２】
また、操作軌跡の量として角度を求めるようにした場合の、操作軌跡の方向（操作方向）は、操作角度θｘが正の値になるか負の値になるかに応じて決定される。すなわち、操作角度θｘが正の値である場合にはＣＣＷ方向、負の値である場合にはＣＷ方向となる。
【００８３】
以上、本実施例によれば、カメラ操作者は、液晶モニタ１８に表示された操作支援マーク２４に対応するタッチパネル７の操作領域を指などでなぞるだけで、所望の画像データを容易に選択再生することができる。
【実施例２】
【００８４】
実施例１では、再生モードにおいて、画像を選択可能な状態（画像のスクロールが可能な状態）と画像を観賞するための状態との切り替えを、ＰＬＡＹモードＳＷ６の操作によって行うものであったが、本実施例では、それをクッチパネル７の操作によって行うようにしたものである。
【００８５】
具体的には、画像を選択可能な状態において画像選択動作終了を検出すると（例えば操作支援マーク２４に対応するタッチパネル７の操作領域から指が離れたことを検出する等）、画像を観賞するための状態に切り替え、この画像を観賞するための状態においてタッチパネル７上の何処がタップされると（軽く叩かれると）、画像を選択可能な状態に切り替えるものである。
【００８６】
図８は、このような切り替え動作を含む、本実施例に係るデジタルカメラ１の動作を示すフローチャートである。尚、本フローは、図５に示したフローに対応するものである。
同図において、Ｓ３１乃至３７では、図５のＳ１乃至７の処理と同様の処理が行われる。
【００８７】
Ｓ３７の後、続いて、パネル操作フラグが”１（＝画像の選択が可能な状態）”であるか”０（＝画像を鑑賞するための状態）”であるかを判定し（Ｓ３８）、その判定結果が”１”である場合にはＳ４４へ進み、”０”である場合にはＳ３９へ進む。
【００８８】
このＳ３８の判定結果が”０”である場合には、続いて、この時のタッチパネル７の操作位置に係る位置データ（操作データともいう）を、タッチパネル検出回路１９から取得し（Ｓ３９）、その位置データに基づいてタッチパネル７がタップ操作されたか否かを判定する（Ｓ４０）。そして、その判定結果がＹｅｓの場合にはＳ４１へ進み、Ｎｏの場合にはＳ５８へ進む。尚、Ｓ３９において、カメラ操作者がタッチパネル７の操作を行っていなかった場合には、Ｓ４０の判定結果はＮｏとなる。
【００８９】
Ｓ４０の判定結果がＹｅｓの場合には、続いて、パネル許可フラグをセットし（”１”）（Ｓ４１）、液晶モニタ１８に表示されている画像に操作支援マーク２４を合成表示する（Ｓ４２）。これにより、カメラ操作者は画像を選択可能な状態に切り替えられたことを知ることができる。そして、Ｓ４２の後、続いて、システムコントローラ１２の不図示のタイマカウンタのカウントを開始する（Ｓ４３）。このカウントは、画像を選択可能な状態に切り替えてから所定時間が経過しても画像の選択操作（スクロール操作）が行われなかった場合には、表示されている画像から操作支援マーク２４を消去して画像を鑑賞するための状態に切り替えるよう処理するために行われるものであり、その所定時間を経過したか否かを判定するために、タイマカウンタにより時間の計測が行われる。
【００９０】
このＳ４３の後、或いは、Ｓ３８の判定結果が”１”であった場合には、続いて、この時のタッチパネル７の操作位置に係る位置データ（操作データともいう）を、タッチパネル検出回路１９から取得し（Ｓ４４）、その位置データを直交座標から極座標に座標変換する（Ｓ４５）。但し、Ｓ４４にて、カメラ操作者がタッチパネル７の操作を行っていなかった場合には、Ｓ４４及びＳ４５をスキップする。そして、Ｓ４５で座標変換された位置データが操作支援マーク２４に対応するタッチパネル７の操作領域に含まれるか否か（その操作領域でのタッチパネル７の操作開始を検知したか否か）を判定し（Ｓ４６）、その判定結果がＹｅｓの場合にはＳ４７へ進み、Ｎｏの場合にはＳ５８へ進む。尚、Ｓ４４にて、カメラ操作者がタッチパネル７の操作を行っていなかった場合には、本ステップの判定結果はＮｏとなる。
【００９１】
すなわち、Ｓ４４乃至４６では、カメラ操作者が、操作支援マーク２４に対応するタッチパネル７の操作領域をなぞり始めたか否かの検出が行われる。
Ｓ４６の判定結果がＹｅｓの場合には、続くＳ４７乃至５７では、図５のＳ９乃至１８の処理と同様の処理が行われる。すなわち、操作支援マーク２４に対応するタッチパネル７の操作領域をカメラ操作者が指等でなぞることにより、駒番号のカウントアップ／ダウンが行われ、対応する画像データに係る画像に操作支援マーク２４が合成されて液晶モニタ１８に表示される。
【００９２】
但し、Ｓ４９では、Ｓ１１と同様の処理を行うことにより、操作支援マーク２４に対応する操作領域でのタッチパネル７の操作終了を検知したか否かを判定するものであり、Ｓ１１の判定結果がＹｅｓとなる条件でＳ４９の判定結果がＹｅｓとなってＳ５０へ進み、Ｓ１１の判定結果がＮｏとなる条件でＳ４９の判定結果がＮｏとなってＳ５１へ進む。
【００９３】
Ｓ４９の判定結果がＹｅｓの場合には、続いて、所定時間待機し（Ｓ５０）、Ｓ５９へ進む。尚、このＳ５０は、操作終了を検知されてから直ぐに操作支援マーク２４が消去されるのを防止するために設けられたものであり、その検知から直ぐに操作支援マーク２４が消去されることでカメラ操作者が違和感を覚えることとなるのを防止するものである。また、本ステップにおいて、所定時間待機中に、再度、タッチパネル７が操作されたときには、Ｓ４７へ戻るようにすることも可能である。これにより、カメラ操作者は、誤って一時的にタッチパネル７から指を離したとしても操作の継続が可能になる。
【００９４】
一方、Ｓ４０の判定結果がＮｏ、或いは、Ｓ４６の判定結果がＮｏの場合には、続いて、タイマカウンタによってカウントされている時間が所定時間に達したか否かを判定し（Ｓ５８）、その判定結果がＹｅｓの場合にはＳ５９へ進み、Ｎｏの場合にはＳ６０へ進む。
【００９５】
Ｓ５０の後、或いはＳ５８の判定結果がＹｅｓの場合には、続いて、パネル許可フラグをクリア（”０”）し（Ｓ５９）、液晶モニタ１８に表示されている画像から操作支援マーク２４を消去する（Ｓ６１）。これにより、カメラ操作者は画像を観察するための状態に切り替えられたことを知ることができる。そして、Ｓ６１の後、処理がＳ３８へ戻る。
【００９６】
一方、Ｓ５８の判定結果がＮｏの場合には、続いて、ＲＥＣモードＳＷ５が操作されたか否かを判定し（Ｓ６０）、その判定結果がＹｅｓの場合にはＳ６２へ進み、Ｎｏの場合にはＳ３８へ戻る。
【００９７】
Ｓ６０の判定結果がＹｅｓの場合には、続いて、動作モードを再生モードから撮影モードに切り替え、タッチパネル検出回路１９の動作を停止し（Ｓ６２）、液晶モニタ１８上の表示を消す（Ｓ６３）。そして、処理がＳ３１へ戻る。
【００９８】
以上、本実施例によれば、再生モードにおいて、画像の選択が可能な状態と画像を観賞するための状態との切り替えを、クッチパネル７の操作によって行うことが可能になる。
【実施例３】
【００９９】
実施例１及び２では、画像と共に表示されたドーナツ状の操作支援マーク２４を用いることによりダイヤル当の回転操作部材を類推させる操作方法をタッチパネル７で実行可能にし、これによりカメラ操作者の操作軌跡が略曲線状になるものであったが、本実施例では、画像と共に表示される操作支援マークを表示画面の対角線に沿った帯状のものとし、これによりカメラ操作者の操作軌跡が略直線状になるものである。
【０１００】
図９は、本実施例に係る操作支援マークを示す図である。尚、同図は、再生モードにおいて、カメラ操作者がタッチパネル７を介して画像データの選択指示等を行う際に液晶モニタ１８に表示される画面の一例を示している。
【０１０１】
同図に示したように、操作支援マーク３５は、画像と共に、表示画面の対角線に沿って所定の幅を持った帯状のものとして表示される。尚、操作支援マーク３５を対角線上に設けたのは、デジタルカメラ１を保持した状態で指を動かすには、人間工学上、斜めに動かすほうが操作し易いからである。また、操作軌跡の量を最大に取れるからでもある。これにより、小型の液晶モニタであっても操作がし易くなる。
【０１０２】
また、対角線上に設けられた操作支援マーク３５の両端側の領域には、カメラ操作者に対して操作方法をわかり易く告知するために、操作方向を示す矢印３６ａ，３６ｂが設けられて表示される。
【０１０３】
これにより、カメラ操作者は、液晶モニタ１８に表示された操作支援マーク３５の領域（同図のハッチング部）に対応するタッチパネル７上の操作領域を指で矢印３７ａ又は３７ｂの方向になぞる等の操作によって、すなわち、操作支援マーク３５をタッチパネル７の上から指で矢印３７ａ又は３７ｂの方向になぞる等の操作によって、当該カメラ１に対して、例えば画像データ等の選択指示を行うことが可能になる。
【０１０４】
図１０は、再生モードにおいて、カメラ操作者がタッチパネル７を介して所望の画像データを選択する際の、液晶モニタ１８に表示される画面の変化の一例を示す図である。
同図において、表示画面３８は、駒番号１０の画像データに係る画像が表示されたときの画面である。表示画面３８内の右下には、画像の駒番号が１０であることを示すＮ＝０１０が表示される。また、この表示画面には、図９を用いて説明したように、画像に操作支援マーク３５が重ねて表示され、画像の選択指示を行うことが可能になっている。また、この表示画面内の上下には、図９では不図示であったが、操作方向とカウントの方向との対応関係をカメラ操作者に告知するための支援記号（図１０のＣｏｕｎｔ  Ｕｐ，Ｃｏｕｎｔ  Ｄｏｗｎ）も表示される。
【０１０５】
この表示画面３８において、例えば、カメラ操作者が、操作支援マーク３５に対応するタッチパネル７の操作領域を指で左上から右下方向へなぞると、駒番号がカウントダウンされ、これにより、表示画面３９に示したように、駒番号１０の画像に代わって駒番号９の画像データに係る画像が表示される。
【０１０６】
一方、表示画面３８において、操作支援マーク３５に対応するタッチパネル７の操作領域を指で右下から左上方向へなぞると、反対に、駒番号がカウントアップされ、これにより、表示画面４０に示したように、駒番号１０の画像に代わって駒番号９の画像データに係る画像が表示される。
【０１０７】
このように、操作支援マーク３５に対応するタッチパネル７の操作領域を指で左上から右下方向、或いは右下から左上方向へなぞることにより、液晶モニタ１８に表示されている画像のスクロールアップ或いはスクロールダウンが行われる。ここで、駒番号のカウントアップ／ダウンに係る動作実行の可否については、例えば２つのパラメータを用いることができる。一つのパラメータは、なぞり操作が行われたときの指の移動量である。すなわち、操作軌跡の量（操作軌跡の長さ）に応じて、駒番号のカウントアップ／ダウンに係る動作実行の可否を判定する。もう一つのパラメータは、なぞり操作が行われたときの指の移動速度である。すなわち、操作軌跡の量の単位時間当たりの変化率に応じてそれを判定する。尚、この指の移動量と指の移動速度は、操作量の一例である。
【０１０８】
また、カメラ操作者は、このようにして所望の画像を表示させたところで、当該カメラ１に所定の操作を行うことで、表示画面４１に示したように、画像のみを表示させることも可能になっている。ここで、所定の操作は、例えば、実施例１で説明したＰＬＡＹモードＳＷ６の操作、或いは、実施例２で説明したタッチパネル７のタップ操作等である。これにより、カメラ操作者は、所望の画像を、操作支援マーク３５及び支援記号無しの状態で鑑賞することができる。また、この状態であるときに、カメラ操作者が、所定の操作を行うと、表示画面３８に示したように、再び、その操作支援マーク３５及び支援記号が重ねて表示されるようになり、再び、画像の選択が可能な状態となる。
【０１０９】
尚、このような切り替え動作を含む、本実施例に係るデジタルカメラ１の動作は、図５或いは図８に示したフローチャートの動作を基に、同様にして行うことができる。但し、本実施例に係る動作においては、操作支援マーク３５が帯状の形状を有しているので、ドーナツ状の操作支援マーク２４のように連続的に操作し続けることができない。そこで、図８のＳ５０において説明したように、タッチパネル７の操作終了が検出されてから所定時間経過するまでの間に再びタッチパネル７の操作が検出されたときには、画像の選択が可能な状態が継続されるようにすることが望ましい。これにより、カメラ操作者は、連続的に画像のスクロールアップ或いはスクロールダウンを行うことができる。
【０１１０】
以上、本実施例によれば、操作支援マークを表示画面の対角線に沿った帯状のものとしたことにより、水平方向或いは垂直方向の操作により指示を行うようにした装置（例えば特許文献２参照）よりも操作性を向上させることができる。
【０１１１】
以上、実施例１乃至３について説明した。これらの各実施例では、選択及び再生対象となるコンテンツデータを画像データとしたが、これを音声データとすることも可能である。この場合、画像の選択が可能な状態において音声データの選択が行われ、画像を鑑賞するための状態において音声の再生が行われる。或いは、記録メディア１３に予め書籍データ（書籍に係る電子データ）を記録しておき、選択及び再生対象とするコンテンツデータを書籍データとすることも可能である。この場合、画像の選択が可能な状態において書籍の名称（タイトル）を表示して書籍データの選択が行われ、画像を鑑賞するための状態において書籍の内容の再生が行われる。
【０１１２】
また、実施例１及び２では、操作支援マーク２４をドーナツ状の形状としたが、例えば、円形状の形状とすることも可能である。
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１１３】
【図１Ａ】実施例１に係る再生装置を適用したデジタルカメラの外観斜視図である。
【図１Ｂ】実施例１に係る再生装置を適用したデジタルカメラの外観斜視図である。
【図２】デジタルカメラの主要構成を示す図である。
【図３】再生モードにおいてカメラ操作者がタッチパネルを介して画像データの選択指示等を行う際に液晶モニタに表示される画面の一例を示す図である。
【図４】実施例１に係る、再生モードにおいてカメラ操作者がタッチパネルを介して所望の画像データを選択する際の液晶モニタに表示される画面の変化の一例を示す図である。
【図５】実施例１に係るデジタルカメラの動作を示すフローチャートである。
【図６】カメラ操作者が操作支援マークに対応するタッチパネルの操作領域を指でなぞったときの軌跡（操作軌跡ともいう）を示す図である。
【図７】操作軌跡の量として角度を求めるようにした手法を説明するための図である。
【図８】実施例２に係るデジタルカメラの動作を示すフローチャートである。
【図９】実施例３に係る操作支援マークを示す図である。
【図１０】実施例３に係る、再生モードにおいてカメラ操作者がタッチパネルを介して所望の画像データを選択する際の液晶モニタに表示される画面の変化の一例を示す図である。
【符号の説明】
【０１１４】
１      デジタルカメラ
２      撮影レンズ
３      レリーズＳＷ
４      ＲＥＣモードＳＷ
５      ＰＬＡＹモードＳＷ
６      タッチパネル
７      ジャック
８      ＣＣＤ
９      ＣＣＤインターフェース回路
１０    ＦｌａｓｈＲｏｍ
１１    ＳＤＲＡＭ
１２    システムコントローラ
１３    記録メディア
１４    マイク
１５    音声コーデック回路
１６    ヘッドフォン
１７    ジャック
１８    液晶モニタ
１９    タッチパネル検出回路
２０    液晶モニタ駆動回路
２１    白黒ＬＣＤ
２２    カメラ操作ＳＷ
２３    ＵＳＢコントローラ
２４    操作支援マーク
２５、２６、２７、２８  表示画面
２９    操作軌跡
３０    操作開始位置
３１    操作終了位置
３２    操作軌跡
３３    操作開始位置
３４    操作終了位置
３５    操作支援マーク
３６、３７  矢印
３８、３９、４０、４１  表示画面
【図１Ａ】
2006067439.tif 000003
【図１Ｂ】
2006067439.tif 000004
【図２】
2006067439.tif 000005
【図３】
2006067439.tif 000006
【図４】
2006067439.tif 000007
【図５】
2006067439.tif 000008
【図６】
2006067439.tif 000009
【図７】
2006067439.tif 000010
【図８】
2006067439.tif 000011
【図９】
2006067439.tif 000012
【図１０】
2006067439.tif 000013